(57)【要約】　　　（修正有）【課題】人工歯根を顎骨に埋植するためにインプラントフィクスチャーを回転させるインプラントの取り付けシステムを提供する。【解決手段】顎骨に埋植されるインプラントフィクスチャー１と、該フィクスチャーに回転トルクを伝達するフィクスチャードライバ５を備える。インプラントフィクスチャー１は外周面にネジ部１ｄが形成され、上端には六角の頭１ａが形成されフィクスチャードライバ５のソケット溝５ｂと結合され、上端面にネジ孔１ｂが形成され上部クラウンが締結ネジで締め付けられるようになっており、ネジ孔１ｂの上部にはガイド孔１ｃを備えてフィクスチャードライバ５の支持部５ｃが挿入されるようになっている。フィクスチャードライバ５は六角のソケット溝５ｂと、ガイド孔１ｃに嵌合される支持部５ｃと、バネフィンガー部５ｄを備える。【選択図】　図２
2004141479.tif 000002
【特許請求の範囲】
【請求項１】
外周面に形成されたネジ部（１ｄ）と、上端に備えられた多角の頭（１ａ）と、クラウンを締結ネジで締め付けるために上端面で中心軸方向に形成されたネジ孔（１ｂ）と、ネジ孔（１ｂ）の上部に前記ネジ孔（１ｂ）の最小直径よりやや大きい直径を有し、前記ネジ孔（１ｂ）と同軸で形成されたガイド孔（１ｃ）を備えたインプラントフィクスチャー（１）と、
下端に前記フィクスチャー（１）の六角の頭（１ａ）を挟み込んで収める多角のソケット溝（５ｂ）と、該ソケット溝（５ｂ）で同軸で延長されフィクスチャー（１）の前記ガイド孔（１ｃ）に挿着される支持部（５ｃ）と、前記フィクスチャー（１）の前記ネジ孔（１ｂ）に嵌合されて前記フィクスチャーを弾力的に掴み取るために前記支持部（５ｃ）の先端で同軸で延長された複数個のバネフィンガー部（５ｄ）とを備えたフィクスチャードライバ（５）を備えたデンタルインプラントの取り付けシステム。
【請求項２】
外周面に形成されたネジ部（１ｄ）と、上端に備えられた多角溝（１ｅ）と、クラウンを締結ネジで締め付けるために上端面で中心軸方向に形成されたネジ孔（１ｂ）と、ネジ孔（１ｂ）の上部に前記ネジ孔（１ｂ）の最小直径よりやや大きい直径を持ち、前記ネジ孔（１ｂ）と同軸で形成されたガイド孔（１ｃ）を備えたインプラントフィクスチャー（１）と、
下端に前記フィクスチャー（１）の多角溝（１ａ）に差し込まれて装着される多角レンチ部（５ｆ）と、該多角レンチ部（５ｂ）の底面で同軸で延長されフィクスチャー（１）のガイド孔（１ｃ）に挿着される支持部（５ｃ）と、該支持部（５ｃ）の先端から同軸で延長され前記フィクスチャー（１）のネジ孔（１ｂ）に嵌合され前記フィクスチャー（１）を弾力的に掴み取るために設けられる複数個のバネフィンガー部（５ｄ）を備えたフィクスチャードライバ（５）を含んだデンタルインプラントの取り付けシステム。
【発明の詳細な説明】
【０００１】
【発明の属する技術分野】
本発明はデンタルインプラント（Ｄｅｎｔａｌ　ｉｍｐｌａｎｔ；人工歯根）の取り付けシステムに係り、特に患者の顎骨に固定されるフィクスチャー（ｆｉｘｔｕｒｅ；取付け具）と患者の顎骨に予め穴明けされた孔内にフィクスチャーを挿入するためにフィクスチャーを回転させるのに使われるフィクスチャードライバ（ｆｉｘｔｕｒｅ　ｄｒｉｖｅｒ）を用いるシステムに関する。
【０００２】
【従来の技術】
患者の損傷されたり破損された生まれつき歯の代りにその部分に人工歯根を施術する技術が幅広く適用されている。このようなインプラント術では人工歯根を顎骨に植立するため、まず人工歯根を植立しようとする顎骨の位置に適当な直径のドリル孔を開ける。それからそのドリル孔にフィクスチャーを嵌合した状態でドライバで回せば、フィクスチャーのネジ部はドリル孔にネジを形成しつつ締結される。このように顎骨に締結固定されたフィクスチャーの上端にデンタルインプラントを固定ネジで締結して人工歯牙が仕上る。
【０００３】
トーマス　エイチ　デイ（Ｔｈｏｍａｓ　Ｈ．　Ｄａｙ）の特許文献１はデンタルインプラントドライビングシステムを開示している。このトーマス特許は、図１に示した通り、インプラントを患者の顎骨に埋立するためにインプラントフィクスチャー１００の上端にマウントされる複雑なヒーリングアバットメント１０１を含んでいる。すなわち、前記トーマスの特許はフィクスチャー１００を回転させるためにドライバ１０４以外にヒーリングアバットメント（ｈｅａｌｉｎｇ　ａｂｕｔｍｅｎｔ）１０１のような補助道具が必ず必要である。
【０００４】
【特許文献１】
米国特許第６、２０６、６９６号公報
【０００５】
前記トーマスの特許は、顎骨に開けたドリル孔にフィクスチャー１００を嵌合する前、前記フィクスチャー１００の中央ネジ孔にヒーリングアバットメント１０１のネジ部を組立てて、フィクスチャー１００とヒーリングアバットメント１０１を一体に固定する。このようにヒーリングアバットメント１０１が組立てられたフィクスチャー１００を患者の顎骨に予め穴明けされたドリル孔に嵌合し、前記ヒーリングアバットメント１０１の溝１０２にフィクスチャードライバ１０４の突起１０３を差し込み、フィクスチャードライバ１０４を回してフィクスチャー１００をヒーリングアバットメント１０１と共に顎骨に挿入する。その後、フィクスチャー１００と顎骨との間に骨融合が進んでフィクスチャー１００が顎骨に堅固に固着されたらフィクスチャー１００からヒーリングアバットメント１０１は除去されるべきである。
【０００６】
ところが、フィクスチャードライバ１００のトルクがヒーリングアバットメント１０１を通して前記フィクスチャー１００に伝達されるため、ヒーリングアバットメント１０１に過渡なトルクが伝達されヒーリングアバットメント１０１がフィクスチャー１００に必要以上の力で結合させる。従って、もしインプラントフィクスチャーが誤埋植され既に埋植されているフィクスチャーを歯茎から除去すべき場合、トレパニング（ｔｒｅｐａｎｎｉｎｇ）工具のような他の道具を用いて誤埋植されたフィクスチャーを除去すべきである。この際、ヒーリングアバットメント１０１を取り外す時、その取り外しトルクによってフィクスチャーが顎骨から緩く解ける短所があった。
【０００７】
このように従来はフィクスチャーを患者の顎骨に植立するために多数の道具を使用するため、狭い口腔内で前記フィクスチャーマウント、マウントドライバなど色々の補助道具を順次に連結する作業が極めて複雑で長時間かかる問題点があった。特に口腔内で前記マウントを締め付けたり解く作業は極めて難しく、特にヒーリングアバットメント１０１を解体する際フィクスチャー１００も共に回転して顎骨からやや解けることによってフィクスチャーが顎骨に堅固に植立されなくて、人工歯根を堅固に埋植できない致命的な問題を引き起こしていた。
【０００８】
そして、顎骨にやや挿入されたフィクスチャー及びフィクスチャーマウントにドライバを結合させるためにドライバ１０４の突起１０３をヒーリングアバットメント１０１の溝１０２に差し込み難く、特にヒーリングアバットメントが組み立てられたフィクスチャーはフィクスチャードライバ１０４に単に差し込まれているだけなので、手で掴み取って狭い口腔内の埋植位置に移動させるべき困難さがあった。
【０００９】
【発明が解決しようとする課題】
本発明は前述した問題点を解決するために案出されたもので、その目的はドライバ一つだけの道具で小サイズのインプラントフィクスチャーを固定したまま移動させ、その状態でフィクスチャーを回転させて患者の顎骨に埋植できるデンタルインプラントの取り付けシステムを提供するところにある。
【００１０】
【課題を解決するための手段】
前述した目的を達成するための本発明は、外周面に形成されたネジ部と、上端に備えられた多角の頭と、クラウンを締結ネジで締め付けるために上端面で中心軸方向に形成されたネジ孔と、ネジ孔の上部に前記ネジ孔の最小直径よりやや大きい直径を有し、前記ネジ孔と同軸で形成されたガイド孔を備えるインプラントフィクスチャーと、下端に前記フィクスチャーの多角の頭を挟み込んで収める多角ソケット溝を備えたシャンクと、前記ソケット溝で同軸で延長されフィクスチャーのガイド孔に嵌合される支持部と、フィクスチャーのネジ孔に嵌合されてフィクスチャーを弾力的に掴み取るために支持部の先端で同軸で延長された複数個のバネフィンガー部を具備したフィクスチャードライバを含む。
【００１１】
【発明の実施の形態】
以下、添付した図面に基づき本発明に係るデンタルインプラントの取り付けシステムの実施の形態を詳述する。
図２に示した通り、本発明に係るデンタルインプラントフィクスチャードライビングシステムは、患者の顎骨に予め穴明けされた孔に挿着されるインプラントフィクスチャー１と、該インプラントフィクスチャー１を掴んで回すフィクスチャードライバ５を含む。
【００１２】
前記インプラントフィクスチャー１は外周面にネジ部１ｄが形成され、上端には後述するフィクスチャードライバ５のソケット部５ｂに嵌着される六角の頭１ａが備えられ、上部には図３に示した通り中心軸方向に沿ってネジ孔１ｂが形成され上部クラウン（図示せず）が締結ネジで締め付けられるようになっており、前記ネジ孔１ｂの上部には前記ネジ孔１ｂの最小直径よりやや大きい直径を有するガイド孔１ｃが前記ネジ孔１ｂと同軸で形成される。
【００１３】
本発明のフィクスチャードライバ５は、前記図２及び図３に示した通り、先端にフィクスチャー１の六角の頭１ａを挟み込んで収めるソケット溝５ｂと、該ソケット溝５ｂで軸方向に沿って外側に延長されフィクスチャー１のネジ孔１ｂの上端部に形成されたガイド孔１ｃに嵌合されるよう同軸で形成された支持部５ｃと、該支持部５ｃの先端に長手方向に延長されフィクスチャー１のネジ孔１ｂをバネ弾力で固定するバネフィンガー部５ｄを備える。
【００１４】
前記バネフィンガー部５ｄは、図２に示した通り、円周方向に配置された複数個のバネ片で構成され、これら各バネ片は下端に行くほど間隔がやや拡張された構造よりなっている。
【００１５】
本発明は先端に備えられたバネフィンガー部５ｄを患者の顎骨に施術しようとするフィクスチャー１のネジ孔１ｂの中に嵌合すると同時に、支持部５ｃをフィクスチャー１のガイド孔１ｃ内に差し込めば、本発明のフィクスチャードライバ５は前記支持部５ｃによってフィクスチャー１について位置決めし、かつバネフィンガー部５ｄは横方向に広くなろうとするバネ弾性力によってフィクスチャー１を固定する。このように本発明のドライバ５はフィクスチャー１を掴んで固定するため、フィクスチャー１はドライバ５から離れず固定される。
【００１６】
このように先端に取り付けられたフィクスチャー１を顎骨に予め穴明けされたドリル孔中に安定して装着し、その状態で本発明のドライバ５を回転道具（図示せず）で回転させればフィクスチャー１は回転しつつ顎骨に締結されて埋植される。
【００１７】
図４には本発明の他の実施例が示されている。本発明の他の実施例はフィクスチャー１の上端に多角（例えば六角）の頭の代りに多角（例えば六角）のソケット溝１ｅが形成され、該多角（例えば六角）ソケット溝１ｅはフィクスチャードライバ５の下端に備えられた多角（例えば六角）のレンチ部１ｆと結合させるところに特徴がある。
【００１８】
【発明の効果】
前述した本発明によれば、一つのフィクスチャードライバだけでデンタルフィクスチャーが埋植できて、従来フィクスチャーを回すために必要としたヒーリングアバットメントやフィクスチャーマウントのような補助道具が要らなくなって全体組立体がコンパクトになるため狭い空間でも取扱が簡便になって施術しやすくなり、特に先端にフィクスチャーを掴み取って固定したまま移動させうるのでフィクスチャーの取扱が容易であり、施術が的確で簡便になる長所がある。
【図面の簡単な説明】
【図１】従来のインプラントの取り付けシステムの結合縦断面図である。
【図２】本発明に係る一実施例の分離斜視図である。
【図３】図２の実施例に対する結合縦断面図である。
【図４】本発明の他の実施例に対する結合縦断面図である。
【符号の説明】
１：インプラントフィクスチャー　　　１ａ：多角の頭
１ｂ：ネジ孔　　　　　　　　　　　　１ｃ：ガイド孔
１ｄ：ネジ部　　　　　　　　　　　　１ｅ：多角ソケット溝
１ｆ：多角レンチ部
５：フィクスチャードライバ　　　　　５ｂ：ソケット部
５ｃ：支持部　　　　　　　　　　　　５ｄ：バネフィンガー部
【図１】
2004141479.tif 000003
【図２】
2004141479.tif 000004
【図３】
2004141479.tif 000005
【図４】
2004141479.tif 000006